(57)【要約】【課題】１円玉や５０円玉などの直径の小さいコインを分別できて、使い勝手のよいコインケースを提供すること。【解決手段】蓋１０１が開いているときに蓋１０１とケース本体１０８が見開きの関係となるように形成されたコインケース１００であって、ケース本体１０８の内部をコインが投入されるコイン投入部１１３と分別されたコインが収納される分別収納部１１４に分けるようにケース本体１０８に設けられた仕切り板１０９と、仕切り板１０９に設けられ、所定種のコインを通過させ、所定種のコインより大きい直径を有するコインは通過させない略円形状のコイン落下通過口１１０と、分別収納部１１４と見開き状態における蓋１０１の間に設けられ、コイン落下通過口１１０を通過して分別収納部１１４に収納されたコインを見開き状態における蓋１０１の見開き面１１６へ取り出す取り出し口１０５とを有する分別コインケースにより、この課題を解決する。【選択図】図２
2013039293.tif 000002
【特許請求の範囲】
【請求項１】
コインが収納されるケース本体と、前記ケース本体のコイン投入口を塞ぐ蓋とを有し、前記蓋が開いているときに前記蓋と前記ケース本体が見開きの関係となるように形成されたコインケースであって、
前記ケース本体の内部をコインが投入される上部空間であるコイン投入部と投入されたコインのうち分別されたコインが収納される下部空間である分別収納部に分けるように前記ケース本体に設けられた仕切り板と、
前記仕切り板に設けられ、複数種あるコイン種のうち所定種のコインの直径より大きく、前記所定種のコインの直径より大きい直径を有するコイン種のうち最小の直径を有するコイン種のコインの直径より小さい直径を有する略円形状のコイン落下通過口と、
前記分別収納部と前記見開き状態における蓋の間に設けられ、前記コイン落下通過口を通過して前記分別収納部に収納されたコインを前記見開き状態における蓋の見開き面へ取り出す取り出し口とを有する
ことを特徴とする分別コインケース。
【請求項２】
前記コイン投入部の前記見開き状態における蓋の側にコインストッパーを設ける
ことを特徴とする請求項１に記載の分別コインケース。
【請求項３】
前記分別収納部の底部には前記分別収納部に収納されたコインを滑走させる第一のコイン滑走面があり、前記見開き状態における蓋の見開き面には前記取り出し口から取り出されたコインを滑走させる第二のコイン滑走面があり、前記見開き状態において前記第一のコイン滑走面と前記第二のコイン滑走面は連続したコイン滑走面を形成する
ことを特徴とする請求項１に記載の分別コインケース。
【請求項４】
前記分別収納部の底部には前記分別収納部に収納されたコインを滑走させる第一のコイン滑走面があり、前記見開き状態における蓋の見開き面には前記取り出し口から取り出されたコインを滑走させる第二のコイン滑走面があり、前記見開き状態において前記第一のコイン滑走面と前記第二のコイン滑走面は連続したコイン滑走面を形成する
ことを特徴とする請求項２に記載の分別コインケース。
【発明の詳細な説明】
【技術分野】
【０００１】
本発明はコインを収納し、複数種あるコイン種のうち所定種のコインを分別して取り出すことができる小銭入れ、コインケースに関するものである。
【背景技術】
【０００２】
中に穴あき中仕切を設けた硬貨入れが特許文献１に記載されている。穴あき中仕切には例えば１円硬貨だけが通過できる大きさの直径の円状の穴が設けられており、１円硬貨は穴あき中仕切に略垂直な方向に円状の穴を通過するものである。円状の穴を通過した１円硬貨は選択硬貨出口側部という空間へ分別される。分別された１円硬貨は、選択硬貨出口側部を形成する筐体の一部に設けられたジッパーを開けて外部へ取り出される。
【先行技術文献】
【特許文献】
【０００３】
【特許文献１】特開平１１−３０９００８
【発明の概要】
【発明が解決しようとする課題】
【０００４】
特許文献１に記載されている硬貨入れは、選択硬貨出口側部を形成する筐体の一部に設けられたジッパーを開けて内部へ指を挿入して摘み出すか、またはジッパー部を下方に向けて、取り出し口を拡げて揺すって落下させることにより、分別されている硬貨を外部へ取り出すものである。そのため、硬貨が分別されていてもすぐに取り出すことは難しいことであった。
本発明は、この課題を解決するためになされたものである。
【課題を解決するための手段】
【０００５】
この課題を解決するための請求項１に記載の本発明は、コインが収納されるケース本体と、前記ケース本体のコイン投入口を塞ぐ蓋とを有し、前記蓋が開いているときに前記蓋と前記ケース本体が見開きの関係となるように形成されたコインケースであって、前記ケース本体の内部をコインが投入される上部空間であるコイン投入部と投入されたコインのうち分別されたコインが収納される下部空間である分別収納部に分けるように前記ケース本体に設けられた仕切り板と、前記仕切り板に設けられ、複数種あるコイン種のうち所定種のコインの直径より大きく、前記所定種のコインの直径より大きい直径を有するコイン種のうち最小の直径を有するコイン種のコインの直径より小さい直径を有する略円形状のコイン落下通過口と、前記分別収納部と前記見開き状態における蓋の間に設けられ、前記コイン落下通過口を通過して前記分別収納部に収納されたコインを前記見開き状態における蓋の見開き面へ取り出す取り出し口とを有する
ことを特徴とする分別コインケースである。
【０００６】
また、この課題を解決するための請求項２に記載の本発明は、前記コイン投入部の前記見開き状態における蓋の側にコインストッパーを設ける
ことを特徴とする請求項１に記載の分別コインケースである。
【０００７】
また、この課題を解決するための請求項３に記載の本発明は、前記分別収納部の底部には前記分別収納部に収納されたコインを滑走させる第一のコイン滑走面があり、前記見開き状態における蓋の見開き面には前記取り出し口から取り出されたコインを滑走させる第二のコイン滑走面があり、前記見開き状態において前記第一のコイン滑走面と前記第二のコイン滑走面は連続したコイン滑走面を形成する
ことを特徴とする請求項１に記載の分別コインケースである。
【０００８】
また、この課題を解決するための請求項４に記載の本発明は、前記分別収納部の底部には前記分別収納部に収納されたコインを滑走させる第一のコイン滑走面があり、前記見開き状態における蓋の見開き面には前記取り出し口から取り出されたコインを滑走させる第二のコイン滑走面があり、前記見開き状態において前記第一のコイン滑走面と前記第二のコイン滑走面は連続したコイン滑走面を形成する
ことを特徴とする請求項２に記載の分別コインケースである。
【発明の効果】
【０００９】
コインケースのケース本体を傾けることで分別されたコインを簡単に掴み取ることができるようになる。
【図面の簡単な説明】
【００１０】
【図１】本発明の分別コインケースの実施の形態の外観を示す斜視図である。
【図２】実施の形態を示す斜視図である。
【図３】実施の形態の仕切り板１０９とコインストッパー１１１それぞれの一部を切り欠いた場合を示す斜視図である。
【図４】実施の形態の仕切り板１０９とコインストッパー１１１を除去した場合を示す斜視図である。
【図５】実施の形態のコイン投入部１１３に種種のコインを投入した様子を示す斜視図である。
【発明を実施するための形態】
【００１１】
以下、本発明の実施の形態について説明する。
本発明の実施の形態に示す分別コインケースは、「馬蹄型」と呼ばれるタイプのコインケースまたはそれに類似のコインケースであり、蓋を開けると蓋とケース本体が書籍の見開きのような位置関係になるものに本発明を適用したものである。
【００１２】
図１は本発明の分別コインケースの実施の形態の外観を示す斜視図である。
コインケース１００は蓋１０１が閉じられた状態である。蓋１０１は側板１０２の内側に嵌合している。取っ手１０３を上方へ引っ張ると蓋１０１が連結部１０４の近傍を回転軸として回動し、蓋１０１が開く。
【００１３】
図２は本発明の分別コインケースの実施の形態を示す斜視図である。
蓋１０１が開けられると、蓋１０１とケース本体１０８が書籍の見開きのような位置関係となり、ケース本体１０８の内部が現れる。ケース本体１０８の内部には仕切り板１０９がある。仕切り板１０９には複数種あるコイン種のうち所定種のコインの直径より大きく、この所定種のコインの直径より大きい直径を有するコイン種のうち最小の直径を有するコイン種のコインの直径より小さい直径を有する略円形状のコイン落下通過口１１０が設けられている。実施の形態では、コイン落下通過口１１０が８個設けられている。
【００１４】
ケース本体１０８は側板１０２と底板１１２により構成され、仕切り板１０９はケース本体１０８の内部をコインが投入される上部空間であるコイン投入部１１３と投入されたコインのうち分別されたコインが収納される下部空間である分別収納部１１４に分けるようにケース本体１０８に設けられる。
【００１５】
コイン投入部１１３の、見開き状態における蓋１０１の側にはコインストッパー１１１を設ける。これはコインケース１００を見開き状態における蓋１０１が下になるように傾けた場合にコイン投入部１１３にあるコインが蓋１０１の見開き面１１６に入らないようにするためのものである。
【００１６】
図２ではコインストッパー１１１が仕切り板１０９と一体物として構成されているが、コインストッパー１１１はこの形態に限定されるものではない。例えば、ケース本体１０８の筐体の一部を構成する側板１０２を図２のコインストッパー１１１の位置まで延長して、コイン投入部１１３を側板１０２で取り囲むような構成としてもよい。
取り出し口１０５は横長のスリット形状で、分別収納部１１４の、見開き状態における蓋１０１の側に設けられる。
【００１７】
図３は本発明の分別コインケースの実施の形態の仕切り板１０９とコインストッパー１１１それぞれの一部を切り欠いた場合を示す斜視図である。切り欠き面にはハッチングを付す。
底板１１２は分別収納部１１４の底部にあり、分別収納部１１４側がコイン滑走面１１５となっている。これを第一のコイン滑走面１１５とする。
【００１８】
見開き状態における蓋１０１の見開き面１１６は取り出し口１０５から取り出されたコインを滑走させる第二のコイン滑走面１１７となっており、見開き状態において第一のコイン滑走面１１５と第二のコイン滑走面１１７は連続したコイン滑走面を形成する。
【００１９】
図４は本発明の分別コインケースの実施の形態の仕切り板１０９とコインストッパー１１１を除去した場合を示す斜視図である。
底板１１２上にはスペーサー１１８がある。スペーサー１１８に仕切り板１０９が載せられると、仕切り板１０９と底板１１２に挟まれた扁平空間が形成される。これが分別収納部１１４となる。したがって、スペーサー１１８の高さを調整することにより、分別収納部１１４の高さを調整することができる。なお、仕切り板１０９はスペーサー１１８に固定してもよいし、着脱可能としてもよい。
【００２０】
次に実施の形態の作用について説明する。
図５は実施の形態のコイン投入部１１３に種種のコインを投入した様子を示す斜視図である。なお、所定種のコインを、日本において流通しているコイン種のうち最小の直径を有するコイン種である１円としている。
【００２１】
仕切り板１０９の上には１円玉１２１、１０円玉１２２、５０円玉１２３、１００円玉１２４が投入されている。ここで、ケース本体１０８の上方の開口部がコインが投入されるコイン投入口である。図５では側板１０２とコインストッパー１１１に囲まれた開口部である。
【００２２】
コインケース１００が例えば前後左右方向に振られると、仕切り板１０９の上にあるコインは仕切り板１０９の上で、横たわった状態のまま横滑りをする。横滑りを何度か繰り返すうちに１円玉１２１は８個あるコイン落下通過口１１０のいずれかを通過して、コイン投入部１１３から分別収納部１１４へ落下し、１円玉１２５の状態となる。１円玉１２５は分別されたコインであり、底板１１２の分別収納部１１４側の面である第一のコイン滑走面１１５上で横たわった状態となる。
１円玉１２１の他の１０円玉１２２、５０円玉１２３、１００円玉１２４はコイン落下通過口１１０を通過することができず、コイン投入部１１３に横たわったままである。
【００２３】
分別収納部１１４に分別された１円玉１２５を取り出すには、コインケース１００を取り出し口１０５が下方となるように傾け、１円玉１２５を底板１１２の第一のコイン滑走面１１５上で滑走させて取り出し口１０５から蓋１０１の内側の見開き面１１６に形成されている第二のコイン滑走面１１７の上に滑り出させればよい。このとき、コイン投入部１１３にあるコインはコインストッパー１１１により動きを止められ、蓋１０１の第二のコイン滑走面１１７上には入らない。コインストッパー１１１がない場合はコイン投入部１１３にあるコインを手で押さえるなどして、コインケース１００を傾ければよい。
【００２４】
コインストッパー１１１に、例えば１円玉１２１だけを通過させる図示しないスリット形状の開口を設けて、コインケース１００を取り出し口１０５が下方となるように傾けたときに１円玉１２１だけを通過させ、その他の１０円玉１２２、５０円玉１２３、１００円玉１２４は通過させないようにしてもよい。
【００２５】
小売店のレジなどで１円玉を使用しようとして蓋１０１の見開き面１１６に１円玉１２６を取り出してはみたものの必要枚数に足らない場合などは、コインケース１００を逆に傾けて、蓋１０１の見開き面１１６に形成されている第二のコイン滑走面１１７の上を滑走させて、見開き面１１６にある１円玉１２６を分別収納部１１４に簡単に戻すことができる。これは、実施の形態のように第一のコイン滑走面１１５と第二のコイン滑走面１１７が連続したコイン滑走面を形成しているからである。汚れが付着していて１円玉１２６の滑りが悪い場合などは指で押し戻すとよい。
【００２６】
第一のコイン滑走面１１５と第二のコイン滑走面１１７が連続したコイン滑走面を形成していない場合、例えば第一のコイン滑走面１１５の方が第二のコイン滑走面１１７よりも上方にあって、その境目が図示しない階段状になっているような場合は、第一のコイン滑走面１１５から第二のコイン滑走面１１７へ、図示しない階段を落とすように１円玉１２６を移すことができるが、第二のコイン滑走面１１７から第一のコイン滑走面１１５へは図示しない階段の部分が障りとなってしまい、１円玉１２６を滑走させて移すことはできないこととなる。
【００２７】
ここで、１円玉を分別するコイン落下通過口１１０の直径について述べる。日本においては、複数種あるコイン種のうち最小の直径を有するコイン種は１円であり、最小の直径を有するコイン種の次に小さい直径を有するコイン種は５０円である。１円玉の直径は２０ミリメートルであり、５０円玉の直径は２１ミリメートルである。したがって、コイン落下通過口１１０の直径は２０ミリメートルより大きく２１ミリメートルより小さいものとすればよい。
【００２８】
実施の形態は以上のような構成と作用を有するものである。
スーパーなどのレジでの小銭の支払いは他の客やレジ担当店員を待たせているという精神的な重圧があり、１円玉を取り出すことに時間をかけることができないことが多い。
本発明の分別コインケースでは分別収納部１１４にある１円玉などの分別されたコインを素早く見開き面１１６に取り出して摘み取ることが可能であり、買い物客を精神的な重圧から解放することができる。
【００２９】
また、第一のコイン滑走面１１５と第二のコイン滑走面１１７を連続したコイン滑走面とすることで、見開き面１１６に取り出してはみたものの使用しなかったコインを分別収納部１１４に素早く戻すことができる。
このように本発明の分別コインケースは、コインケースの携帯性を維持しつつ、使い勝手のよいコインケースを提供するものである。
【符号の説明】
【００３０】
１００  コインケース
１０１  蓋
１０２  側板
１０３  取っ手
１０４  連結部
１０５  取り出し口
１０８  ケース本体
１０９  仕切り板
１１０  コイン落下通過口
１１１  コインストッパー
１１２  底板
１１３  コイン投入部
１１４  分別収納部
１１５  第一のコイン滑走面
１１６  見開き面
１１７  第二のコイン滑走面
１１８  スペーサー
１２１，１２５，１２６  １円玉
１２２  １０円玉
１２３  ５０円玉
１２４  １００円玉
【図１】
2013039293.tif 000003
【図２】
2013039293.tif 000004
【図３】
2013039293.tif 000005
【図４】
2013039293.tif 000006
【図５】
2013039293.tif 000007